(57)【要約】【課題】ダイバーシチ合成における各アンテナの合成比率や、マルチパス、フェージングによる劣化状況等のモニタを可能としたダイバーシチ受信装置の実現。【解決手段】直交周波数分割多重方式で変調されたＯＦＤＭ信号で、複数のアンテナより受信した該ＯＦＤＭ信号をダイバーシチ合成する受信装置において、ダイバーシチ合成する際のそれぞれの合成重み付け係数を数値、メータ、音、光などのデータで表示乃至記録する機能を有するダイバーシチ受信装置であり、ダイバーシチ合成における各アンテナの合成比率を調べることができ、マルチパスやフェージングによる劣化状況のモニタなどが可能で、アンテナ設置後の受信環境の変化などにより、伝送路の特性が変化した場合なども重み付け係数をモニタすることによりその変化状況を調べることが期待できる。【選択図】  図１
2008177937.tif 000002
【特許請求の範囲】
【請求項１】
直交周波数分割多重方式(Orthogonal Frequency Division Multiplexing:ＯＦＤＭ)で変調されたＯＦＤＭ信号で、複数のアンテナより受信した該ＯＦＤＭ信号をダイバーシチ合成する受信装置において、
ダイバーシチ合成する際のそれぞれの合成重み付け係数を数値、メータ、音、光などのデータで表示乃至記録する機能を有することを特徴とするダイバーシチ受信装置。
【請求項２】
請求項１のダイバーシチ受信装置において、
ダイバーシチ合成する際の合成係数を正規化しで表示乃至記録する機能を有することを特徴とするダイバーシチ受信装置。
【請求項３】
請求項１乃至２のダイバーシチ受信装置において、
シンボル毎に全キャリアの平均値を表示乃至記録する機能を有することを特徴とするダイバーシチ受信装置。
【発明の詳細な説明】
【技術分野】
【０００１】
本発明は、直交周波数分割多重(ＯＦＤＭ：Orthogonal Frequency Divisional Multi- plexing)変調方式を用いたダイバーシチ受信装置に関する。
【背景技術】
【０００２】
近年、移動体向けデジタル伝送や、地上デジタルテレビジョン放送への応用に適した変調方式として、マルチパスフェージングやゴーストに強いという特徴のある直交周波数分割多重(以下、ＯＦＤＭと称す)変調方式が注目を浴びている。
ＯＦＤＭ方式は、マルチキャリア変調方式の一種であり、互いに直交するｎ本（ｎは数十〜数千）の搬送波(キャリア)にそれぞれデジタル変調を施した伝送方式である。
ＯＦＤＭ方式を構成するキャリアとしては、データキャリア、ＳＰ(Scattered Pilot) キャリア、ＣＰ(Continual Pilot)キャリア、ＴＭＣＣ(Transmission and Multiplexing Configration Control)キャリア、ＡＣ(Auxiliary Channel)キャリアがある。ＳＰおよびＣＰは受信機の同期や復調に用いる信号である。ＴＭＣＣは変調方式や制御情報を伝送するために用いる信号である。
図２はダイバーシチ受信装置の従来例である。  アンテナから受信された信号は、ダウンコンバータ１１にてＩＦ信号に変換され、Ａ／Ｄ変換器１２でデジタル信号に変換される。その後、直交復調部１３にてベースバンド信号のＩ軸信号、Ｑ軸信号に復調され、ＦＦＴ(高速フーリエ変換)回路１４に入力される。ＦＦＴ回路１４にてＦＦＴ演算された信号は、等化処理部１５にて伝送路の周波数特性等の推定を行い等化され、合成処理部１６で、最大比合成方式等のダイバーシチ合成の処理が行われる。受像機などの場合には、合成された信号は、この後にエラー訂正などが行われて復号されるが、ここでは説明を省略することとする。
【特許文献１】特開２００４−１１２１５５
【発明の開示】
【発明が解決しようとする課題】
【０００３】
最大比合成方式のダイバーシチ合成では、各アンテナで受信した信号に重み付けして合成することにより、最適な結果となるよう処理を行う。このとき、重み付けの係数は受信信号のＣ／Ｎや伝送路の特性により求められる。
そのため、通常時は、各アンテナの受信信号に均等な重み付けを行い、フェージングやマルチパスの影響により、あるアンテナの受信信号が劣化した場合、その信号の重み付け係数を小さくし、劣化の影響を小さくするよう制御を行うことが理想的な処理といえる。しかし、重み付け係数を算出し合成する処理は常に自動的に行われるため、どのような重み付けが行われて合成されているか、どのアンテナの受信信号がどのように劣化しているかなどを知る手段がなかった。
本発明はこれらの欠点を除去し、ダイバーシチ合成における各アンテナの合成比率や、マルチパス、フェージングによる劣化状況等のモニタを可能としたダイバーシチ受信装置の実現を目的とする。
【課題を解決するための手段】
【０００４】
本発明は上記目的を達成するため、直交周波数分割多重方式(Orthogonal Frequency Division Multiplexing:ＯＦＤＭ)で変調されたＯＦＤＭ信号で、複数のアンテナより受信した該ＯＦＤＭ信号をダイバーシチ合成する受信装置において、ダイバーシチ合成する際のそれぞれの合成重み付け係数を数値、メータ、音、光などのデータで表示乃至記録する機能を有するダイバーシチ受信装置である。
また、ダイバーシチ合成する際の合成係数を正規化しで表示乃至記録する機能を有するダイバーシチ受信装置である。
また、シンボル毎に全キャリアの平均値を表示乃至記録する機能を有するダイバーシチ受信装置である。
また、階層毎のキャリアの平均値を表示乃至記録する機能を有するダイバーシチ受信装置である。
また、セグメント毎のキャリアの平均値を表示乃至記録する機能を有するダイバーシチ受信装置である。
また、各アンテナの入力の合成係数をキャリア毎に表示乃至記録する機能を有するダイバーシチ受信装置である。
【発明の効果】
【０００５】
本発明は、ダイバーシチ受信装置において、ダイバーシチ合成を行う際の重み付け係数の表示、記録を行う。これにより、ダイバーシチ合成における各アンテナの合成比率を調べることができ、マルチパスやフェージングによる劣化状況のモニタなどが可能となる。また、アンテナ設置後の受信環境の変化などにより、伝送路の特性が変化した場合も重み付け係数をモニタすることによりその変化状況を調べることができる。
【発明を実施するための最良の形態】
【０００６】
以下、本発明のダイバーシチ受信装置の一実施例について、図１のブロック図を用いて詳細に説明する。
アンテナから受信された信号は、従来例と同様、ダウンコンバータ１１にてＩＦ信号に変換され、Ａ／Ｄ変換器１２でデジタル信号に変換される。その後、直交復調部１３にてベースバンド信号のＩ軸信号、Ｑ軸信号に復調され、ＦＦＴ回路１４に入力される。
ＦＦＴ回路１４にてＦＦＴ演算された信号は、等化処理部１５にて伝送路の周波数特性等の推定を行い等化される。
伝送特性推定部１６では、内蔵されている参照周波数スペクトルと、入力されたキャリア信号列の間に一定のピッチで挿入されているパイロット信号ＣＰを比較することにより、伝送路周波数応答特性(以下伝送特性と記す)を算出し、得られた伝送特性信号列を出力する。それぞれの伝送特性推定部１６で算出された伝送路特性信号列は、１つの合成重み付け係数算出部１８に集められて入力され、対応するそれぞれの合成重み付け係数値が算出される。
【０００７】
そして、合成処理部１６において、それぞれの伝送路の周波数特性の推定結果に応じ、各アンテナから受信されたそれぞれの信号を、算出された対応する重み付け係数によってダイバーシチ合成の処理を行う。
このとき、合成係数記録部１９では、上記合成重み付け係数算出部１８にて算出されたダイバーシチ合成の重み付け係数の記録を行い、合成係数表示部２０では、この重み付け係数の表示を行う。
ここで、合成係数の記録、表示方法としては、シンボル毎やフレーム毎の周期で重み付け係数の平均化を行うことや、正規化すること、地上デジタル放送を例として、サブキャリア単位のものに加え、階層毎やセグメント毎の値を記録、表示することなどが考えられる。
また、ダイバーシチ合成する際の合成係数を、数値、メータ、音、光などのデータで、表示乃至記録することなどが考えられる。
【図面の簡単な説明】
【０００８】
【図１】本発明の第１の実施の形態のＯＦＤＭ方式伝送信号の受信装置の回路構成図
【図２】従来のＯＦＤＭ方式伝送信号の受信装置の回路構成図
【符号の説明】
【０００９】
１１：ダウンコンバータ、１２：Ａ／Ｄ変換器、１３：直交復調部、１４：ＦＦＴ回路、１５：等化処理部、１６：伝送特性推定部、１７：合成処理部、１８：合成重み付け係数算出部、１９：合成係数記録部、２０：合成係数表示部
【図１】
2008177937.tif 000003
【図２】
2008177937.tif 000004